(57)【要約】【課題】  各部材の電気的接続を半田レスで容易に行うことができると共に、部材を削減し得る信頼性の高いプッシュスイッチを提供する。【解決手段】  スイッチケース４０と、軟質の押しボタン５０と、スイッチ部品１０と、ターミナル部材２０Ａ、２０Ｂと、リード線３０を備えている。ターミナル部材２０Ａ、２０Ｂは、スイッチ部品の接続端子１３が半田レスで接続される第１接続部２４が形成された平面部２１と、リード線が半田レスで接続される第２接続部２５が形成された第１垂下部２２を有している。スイッチケース４０は、挿入されたリード線３０を支持する第１支持部４４と、ターミナル部材の平面部２１を支持する第２支持部４５とを有している。【選択図】  図５
2015159056.tif 000002
【特許請求の範囲】
【請求項１】
底面と側面を有し、上面に開口部を有するスイッチケースと、
前記開口部を閉塞するように、前記スイッチケースに装着された軟質の押しボタンと、
前記スイッチケースと前記押しボタンで形成された空間内に配置され、上部に操作部を有すると共に、下方に延出された複数の接続端子を有するスイッチ部品と、
前記接続端子に電気的に接続されたターミナル部材と、
前記ターミナル部材に電気的に接続されたリード線と、を具備するプッシュスイッチであって、
前記ターミナル部材は、前記接続端子が半田レスで接続される第１接続部が形成された平面部と、前記平面部の一端から垂下され前記リード線が半田レスで接続される第２接続部が形成された第１垂下部とを有し、
前記スイッチケースは、前記リード線を前記空間内に挿入するために前記側面に形成された挿入孔と、前記空間内に挿入された前記リード線を支持する第１支持部と、前記ターミナル部材の平面部を支持する第２支持部とを有する、
ことを特徴とするプッシュスイッチ。
【請求項２】
前記スイッチケースは、前記第１垂下部が挿嵌される溝部を有することを特徴とする請求項１に記載のプッシュスイッチ。
【請求項３】
前記ターミナル部材は、前記平面部の他端から垂下された第２垂下部を有し、
前記スイッチケースは、前記第２垂下部を固定する固定部を有することを特徴とする請求項１または２に記載のプッシュスイッチ。
【請求項４】
前記スイッチケースは、前記挿入孔を囲むように設けられた樹脂充填室を有し、
前記樹脂充填室に樹脂が充填されていることを特徴とする請求項１乃至３のいずれかに記載のプッシュスイッチ。
【発明の詳細な説明】
【技術分野】
【０００１】
本発明は、軟質の押しボタンを用いたプッシュスイッチに関する。
【背景技術】
【０００２】
軟質の押しボタンを用いたプッシュスイッチとして、例えば特許文献１には、台座上に配されたスイッチ部品と、スイッチ部品を収容する筒状のケースと、ケースの上部に装着される押しボタンとを具備するプッシュスイッチが記載されている。
【０００３】
特許文献１に記載のプッシュスイッチでは、スイッチ部品の端子は、台座の下面に装着されたターミナル部材に接続され、ターミナル部材にリード線が接続されるため、印刷配線基板が不要になるなどのメリットがある。
【先行技術文献】
【特許文献】
【０００４】
【特許文献１】特開２０１２−１８７９４号公報
【発明の概要】
【発明が解決しようとする課題】
【０００５】
しかしながら、特許文献１に記載のプッシュスイッチでは、スイッチ部品を収容する筒状のケースの他に、スイッチ部品を載せる台座を必要とするため、印刷配線基板が不要になるものの部材の十分な削減までには至っていない。
また、特許文献１に記載のプッシュスイッチでは、スイッチの端子をターミナル部材に半田接続すると共に、ターミナル部材にリード線を半田接続する必要がある。このため、製造時間の十分な短縮までには至っていない。
【０００６】
そこで本発明は、更なる部材の削減と製造の容易化を実現し得るプッシュスイッチを提供することを目的とするものである。
【課題を解決するための手段】
【０００７】
以下、上記の課題を解決するために為された本発明の態様を記載する。なお、以下に記載の各態様において採用される構成要素は、可能な限り任意な組み合わせで採用することができる。また、本発明の態様あるいは技術的特徴は以下に記載のものに限定されることなく、明細書全体および図面に記載されたもの、或いはそれらの記載から当業者が把握することの出来る発明思想に基づいて認識されるものである。
【０００８】
本発明の第一の態様は、底面と側面を有し、上面に開口部を有するスイッチケースと、前記開口部を閉塞するように、前記スイッチケースに装着された軟質の押しボタンと、前記スイッチケースと前記押しボタンで形成された空間内に配置され、上部に操作部を有すると共に、下方に延出された複数の接続端子を有するスイッチ部品と、前記接続端子に電気的に接続されたターミナル部材と、前記ターミナル部材に電気的に接続されたリード線と、を具備するプッシュスイッチであって、
前記ターミナル部材は、前記接続端子が半田レスで接続される第１接続部が形成された平面部と、前記平面部の一端から垂下され前記リード線が半田レスで接続される第２接続部が形成された第１垂下部とを有し、
前記スイッチケースは、前記リード線を前記空間内に挿入するために前記側面に形成された挿入孔と、前記空間内に挿入された前記リード線を支持する第１支持部と、前記ターミナル部材の平面部を支持する第２支持部とを有する、ことを特徴とする。
このような態様のプッシュスイッチでは、ターミナル部材とリード線とスイッチ部品の接続端子の電気的接続を半田レスで容易に行うことができると共に、スイッチケースによってターミナル部材とスイッチ部品を支持する構造であるため、より少ない部材で信頼性の高いプッシュスイッチを実現することができる。
【０００９】
また、本発明の第二の態様は、前記スイッチケースは、前記第１垂下部が嵌め込まれる溝部を有することを特徴とする。
このような態様のプッシュスイッチでは、ターミナル部材を容易に位置決めでき、ターミナル部材の第２接続部とリード線との電気的接続を極めて簡単に行うことができる。
【００１０】
また、本発明の第三の態様は、前記ターミナル部材は、前記平面部の他端から垂下された第２垂下部を有し、前記スイッチケースは、前記第２垂下部を固定する固定部を有することを特徴とする。
このような態様のプッシュスイッチでは、ターミナル部材をスイッチケースに強固に固定でき、より一層信頼性の高いプッシュスイッチを実現することができる。
【００１１】
また、本発明の第四の態様は、前記スイッチケースは、前記挿入孔を囲むように設けられた樹脂充填室を有し、前記樹脂充填室に樹脂が充填されていることを特徴とする。
このような態様のプッシュスイッチでは、スイッチ部品が配置された内部空間への水の浸入を効果的に防ぐことができ、防水性に優れるプッシュスイッチを実現することができる。
【発明の効果】
【００１２】
本発明のプッシュスイッチによれば、リード線、ターミナル部材およびスイッチ部品の接続端子の電気的接続を半田レスで容易に行うことができると共に、少ない部材数で信頼性の高いプッシュスイッチを実現することができる。
【図面の簡単な説明】
【００１３】
【図１】本発明の一実施形態例に係るプッシュスイッチの平面図である。
【図２】図１のプッシュスイッチの正面図である。
【図３】図１のプッシュスイッチの左側面図である。
【図４】図１のＡ−Ａ矢視の断面図である。
【図５】図１のＢ−Ｂ矢視の断面図である。
【図６】図１のＣ−Ｃ矢視の断面図である。
【図７】図１のＤ−Ｄ矢視の断面図である。
【図８】図１のプッシュスイッチのケースの平面図である。
【図９】図１のプッシュスイッチのターミナル部材の斜視図である。
【図１０】図１のプッシュスイッチの組み立て手順を説明するための平面図である。
【図１１】図１のプッシュスイッチの組み立て手順を説明するための平面図である。
【図１２】図１のプッシュスイッチの組み立て手順を説明するための平面図である。
【発明を実施するための形態】
【００１４】
本発明を更に具体的に明らかにするために、本発明の一実施形態例を図面を参照しつつ詳細に説明する。
【００１５】
（一実施形態例）
本例のプッシュスイッチ１は、図示しない車両用ドアハンドル装置に装着されるものである。ユーザがドアロック装置を作動させるときは、車両用ドアハンドル装置より露出したプッシュスイッチ１の押しボタン５０を押圧してドアの施錠もしくは解錠を行うことができるようになっている。
【００１６】
このプッシュスイッチ１は、スイッチ部品１０と、２つのターミナル部材２０Ａ、２０Ｂと、２本のリード線３０と、スイッチケース４０と、押しボタン５０と、カバー部材６０とを備えている。
【００１７】
スイッチ部品１０は、円柱状の操作部１１と、直方体状の本体部１２と、４本の接続端子１３を有する。操作部１１は、本体部１２内から上方に突出し、図７の上下方向に移動可能に構成され、本体部１２内の図示しない弾性部材により図７の上向きに付勢されている。接続端子１３は、本体部１２から下方に延出されている。
このスイッチ部品１０は、後述のスイッチケース４０と押しボタン５０で形成された空間内に配置される。
【００１８】
ターミナル部材２０Ａ、２０Ｂは導電性の金属板を加工したものであり、平面部２１と、平面部２１の両端から垂下された第１垂下部２２と第２垂下部２３を有している。
【００１９】
平面部２１には、スイッチ部品1０の接続端子１３を半田レスで電気的に接続するための第１接続部２４が形成されている。第１接続部２４には、周囲３方向が切り欠かれて片持ち梁状となった舌片が形成されている。この舌片は、僅かに下方に傾斜するように折り曲げられている。
また、平面部２１には、後述のスイッチケース４０に設けられているガイド壁４７ｃ、４７ｄが嵌め込まれる切欠部２６が形成されている。
【００２０】
第１垂下部２２には、リード線３０を半田レスで電気的に接続するための第２接続部２５が形成されている。この第２接続部２５には、芯線を絶縁被覆してなるリード線３０の芯線の径よりも若干幅の狭い縦方向のスリットが形成されている。
第２垂下部２３は、第１垂下部２２よりも短く、後述のスイッチケース４０の溝部４６ｂに固定できるように若干湾曲した形状になっている。
【００２１】
スイッチケース４０は、硬質樹脂によって有底角筒状に一体に成形されており、底面と側面を有し、上面に開口部を有する。
スイッチケース４０の対向する２つの側面の上部には、後述のカバー部材６０の係止部６１を係止する係止爪４１が設けられている。
係止爪４１が設けられていないスイッチケース４０の一側面には、２本のリード線３０の先端をスイッチケース内に挿入するための円形の挿入孔４２ａが形成されている。この挿入孔４２ａの直径は、リード線３０の直径よりも僅かに大きい。
また、スイッチケース４０の一側面には、挿入孔４２ａを囲むように樹脂充填室４２が設けられている。この樹脂充填室４２は、スイッチケース４０の一側面から外部に突き出た角筒状を呈し、最終的には防水処理のために樹脂が充填される。
【００２２】
スイッチケース４０の内側には、リード線３０の挿入方向（図８の紙面左右方向）に平行な３つの立壁４３ａ、４３ｂ、４３ｃと、リード線３０の挿入方向に直交する１つの立壁４３ｄが設けられている。
立壁４３ａと立壁４３ｂの間と、立壁４３ａと立壁４３ｃの間には、挿入孔４２ａに隣接して第１支持部４４が設けられている。この第１支持部４４は、挿入孔４２ａから挿入されたリード線３０の先端部を支持する部分であり、リード線３０の直径よりも僅かに狭い幅の溝によって構成されている。リード線３０の先端部は、この第１支持部４４に上方から圧入される。
【００２３】
立壁４３ａ、４３ｂ、４３ｃの上面の一部（図８中に斜線を施した部分）は、ターミナル部材２０Ａ、２０Ｂの平面部２１を支持する第２支持部４５となっている。
立壁４３ａ、４３ｂ、４３ｃには、ターミナル部材２０Ａ、２０Ｂの第１垂下部２２が挿嵌される溝部４６ａと、ターミナル部材２０Ａ、２０Ｂの第２垂下部２３が固定される溝部４６ｂが設けられている。なお、溝部４６ａは、第１支持部４４の図８の紙面左右方向の中間に設けられている。
これらの溝部４６ａ、４６ｂは直線状に形成されており、その幅（図８の紙面左右方向の幅）はターミナル部材２０Ａ、２０Ｂの第１垂下部２２と第２垂下部２３の厚み相当である。
【００２４】
立壁４３ａ、４３ｂ、４３ｃの上面には、スイッチ部品１０の本体部１２を側面からガイドするためのガイド壁４７ａ、４７ｂ、４７ｃ、４７ｄが設けられている。なお、立壁４３ａは中央部分が部分的に高くなっており、この高い部分にガイド壁４７ａ、４７ｂが設けられている。
【００２５】
押しボタン５０は、ゴム等の弾性を有する軟質樹脂で形成され、上部操作壁５１と、その周縁から垂下された側周壁５２を備えている。
この押しボタン５０は、スイッチケース４０の開口部を閉塞するようにスイッチケース４０の上部に装着される。具体的には、スイッチケース４０の上部外周に設けられている段差部に側周壁５２が嵌め込まれ、さらに側周壁５２の外周にカバー部材６０が嵌め込まれる。そして、カバー部材６０の係止部６１がスイッチケース４０の係止爪４１によって係止されることで、押しボタン５０とカバー部材６０はスイッチケース４０に固定される。
なお、プッシュスイッチ１を不図示のドアハンドルに取り付ける際は、押しボタン５０の上部操作壁５１が外部に露出するようにドアハンドルの内側に装着される。
【００２６】
次に、本例のプッシュスイッチ１の組立方法を説明する。
まず、挿入孔４２ａを介して２本のリード線３０をスイッチケース４０内に挿入する。そして、リード線３０の先端部分を上から押し付けて第１支持部４４に圧入する（図１０参照）。これにより、リード線３０はスイッチケース４０に固定され、容易に外れることはない。
【００２７】
次に、ターミナル部材２０Ａ、２０Ｂの第１垂下部２２と第２垂下部２３を、それぞれスイッチケース４０の溝部４６ａと溝部４６ｂに嵌め込む（図１１参照）。
【００２８】
ターミナル部材２０Ａ、２０Ｂの第１垂下部２２が溝部４６ａに嵌め込まれると、第１垂下部２２に形成されている縦方向のスリットからなる第２接続部２５に、リード線３０の先端部分が嵌め込まれる。この時、第２接続部２５のスリットの幅はリード線３０の芯線の径よりも僅かに狭いため、第２接続部２５のスリットの両側部分がリード線３０の絶縁被覆材に喰い込んで、リード線３０の芯線とターミナル部材２０Ａ、２０Ｂが電気的に接続される。
【００２９】
また、ターミナル部材２０Ａ、２０Ｂの第２垂下部２３が溝部４６ｂに嵌め込まれると、若干湾曲した形状の第２垂下部２３が直線状の溝部４６ｂの形状に倣って変形する。このため、第２垂下部２３の変形に伴う弾性力によってターミナル部材２０Ａ、２０Ｂはスイッチケース４０に固定され、ターミナル部材２０Ａ、２０Ｂがスイッチケース４０から浮き上がって外れることはない。このように、スイッチケース４０の溝部４６ｂがターミナル部材２０Ａ、２０Ｂを固定する固定部として機能する。
【００３０】
また、ターミナル部材２０Ａ、２０Ｂの第１垂下部２２と第２垂下部２３がそれぞれ溝部４６ａと溝部４６ｂに嵌め込まれると、平面部２１がスイッチケース４０の第２支持部４５の上に載置されると共に、切欠部２６にガイド壁４７ｃ、４７ｄが部分的に嵌め込まれる。これにより、ターミナル部材２０Ａ、２０Ｂは、水平方向の位置ずれや垂直方向の浮き上がりを起こすことなく、スイッチケース４０に安定した状態で固定される。
【００３１】
次に、スイッチ部品１０を組み込む。具体的には、スイッチ部品１０の４本の接続端子１３を、ターミナル部材２０Ａ、２０Ｂの平面部２１に形成されている計４つの第１接続部２４に差し込む（図１２参照）。
第１接続部２４に接続端子１３が差し込まれると、第１接続部２４の舌片が下方に変形し、この変形に伴う弾性力によって接続端子１３は舌片に押さえ付けられて固定され、接続端子１３とターミナル部材２０Ａ、２０Ｂが電気的に接続される。
また、第１接続部２４に接続端子１３が差し込まれると、スイッチ部品１０の直方体状の本体部１２がスイッチケース４０のガイド壁４７ａ、４７ｂ、４７ｃ、４７ｄによって密着状態で囲まれる。これにより、スイッチ部品１０の４方向の側面が拘束され、スイッチ部品１０のガタツキを防止でき、接続端子１３とターミナル部材２０Ａ、２０Ｂの電気的接続の信頼性を高めることができる。
【００３２】
次に、スイッチケース４０の開口部を閉塞するように押しボタン５０を装着した後、カバー部材６０を装着し、最後にスイッチケース４０の樹脂充填室４２に樹脂（不図示）を充填する。
【００３３】
このように構成される本例のプッシュスイッチ１は、押しボタン５０の上部操作壁５１が図７の上方向から下方向に押圧されると、上部操作壁５１が弾性変形して、スイッチ部品１０の操作部１１を下方へ押し込みスイッチをオンし、リード線３０により外部に信号が伝わる。
また、上部操作壁５１の押圧操作が解除されると、軟質の押しボタン５０の復元力により初期状態に戻り、スイッチ部品１０の操作部１１も上方に戻ってスイッチがオフとなる。
【００３４】
以上説明した本例のプッシュスイッチ１によれば、ターミナル部材２０Ａ、２０Ｂに形成されている第１接続部２４と第２接続部２５によって、スイッチ部品１０の接続端子１３とリード線３０を半田レスで電気的に接続することができる。
また、スイッチケース４０は、内部に挿入されたリード線３０の先端部分を拘束する第１支持部４４を有するため、ターミナル部材２０Ａ、２０Ｂを押し込んだ際にリード線３０が暴れる心配がなく、第２接続部２５とリード線３０との電気的接続を容易に且つ高い信頼性をもって行うことができる。
また、ターミナル部材２０Ａ、２０Ｂの平面部２１はスイッチケース４０の第２支持部４５によって支持されていると共に、先端部分が第１支持部４４によって拘束されたリード線３０がターミナル部材２０Ａ、２０Ｂの第２接続部２５に嵌め込まれているため、スイッチ部品１０の接続端子１３を第１接続部２４に押し込んだ際にターミナル部材２０Ａ、２０Ｂが撓んだり暴れる心配がない。このため、ターミナル部材２０Ａ、２０Ｂの第１接続部２４とスイッチ部品１０の接続端子１３との電気的接続を容易に且つ高い信頼性をもって行うことができる。
よって、本例によれば、半田接続が不要で且つ製造の容易化を実現しつつ、信頼性の高いプッシュスイッチを少ない部材で実現することができる。
【００３５】
また、本例のプッシュスイッチ１では、ターミナル部材２０Ａ、２０Ｂの第１垂下部２２が嵌め込まれる溝部４６ａをスイッチケース４０に設けているため、ターミナル部材２０Ａ、２０Ｂを容易に位置決めでき、第２接続部２５とリード線３０との電気的接続を極めて容易に行うことができる。
【００３６】
また、本例のプッシュスイッチ１では、ターミナル部材２０Ａ、２０Ｂの第２垂下部２３を嵌め込んで固定する溝部４６ｂをスイッチケース４０に設けているため、ターミナル部材２０Ａ、２０Ｂをスイッチケース４０に強固に固定でき、より一層信頼性の高いプッシュスイッチを実現することができる。
【００３７】
また、本例のプッシュスイッチ１では、リード線３０が挿入される挿入孔４２ａを囲むように設けられた樹脂充填室４２に樹脂が充填されるため、スイッチ部品１０が配置されたスイッチケース４０の内部への水の浸入を効果的に防ぐことができ、防水性に優れるプッシュスイッチを実現することができる。
【００３８】
以上、本発明の一実施形態例を説明したが、本発明はかかる実施形態例に限定されるものではなく、本発明の要旨を逸脱しない範囲で、適宜の変更等ができることは言うまでもない。
【００３９】
具体的には例えば、ターミナル部材２０Ａ、２０Ｂに設けられる第１接続部２４については、半田レスで接続端子１３に電気的に接続できる形態であれば任意の形状の舌片を採用することができる。
また、ターミナル部材２０Ａ、２０Ｂに設けられる第２接続部２５については、半田レスでリード線２０に電気的に接続できる形態であれば任意の形状のスリットや切り欠きなどを採用することができる。
また、スイッチケース４０の第１支持部４４については、リード線３０の先端を上から圧入して固定できる形態が簡単且つ確実で好ましいが、単にリード線３０の先端を下から支持する形態や単に挿入する形態のものを採用することができる。
また、スイッチケース４０にターミナル部材２０Ａ、２０Ｂを固定する構造については、第２垂下部２３の変形に伴う弾性力を利用するのが簡易的で好ましいが、スイッチケース４０にターミナル部材を係止するための係止爪を設けたり、単にターミナル部材の一部を圧入する形態のものを採用することもできる。また、ターミナル部材２０Ａ、２０Ｂの固定をより一層確実なものとするために、第１垂下部２２を第２垂下部２３と同様に、スイッチケース４０の溝部４６ａに固定できるように若干湾曲した形状にすることも好ましいものである。
【符号の説明】
【００４０】
１  プッシュスイッチ
１０  スイッチ部品
１１  操作部
１２  本体部
１３  接続端子
２０Ａ、２０Ｂ  ターミナル部材
２１  平面部
２２  第１垂下部
２３  第２垂下部
２４  第１接続部
２５  第２接続部
２６  切欠部
３０  リード線
４０  スイッチケース
４１  係止爪
４２  樹脂充填室
４２ａ  挿入孔  
４３ａ、４３ｂ、４３ｃ、４３ｄ  立壁
４４  第１支持部
４５  第２支持部
４６ａ、４６ｂ  溝部
４７ａ、４７ｂ、４７ｃ、４７ｄ  ガイド壁
５０  押しボタン
５１  上部操作壁
５２  側周壁
６０  カバー部材
６１  係止部
【図１】
2015159056.tif 000003
【図２】
2015159056.tif 000004
【図３】
2015159056.tif 000005
【図４】
2015159056.tif 000006
【図５】
2015159056.tif 000007
【図６】
2015159056.tif 000008
【図７】
2015159056.tif 000009
【図８】
2015159056.tif 000010
【図９】
2015159056.tif 000011
【図１０】
2015159056.tif 000012
【図１１】
2015159056.tif 000013
【図１２】
2015159056.tif 000014